(57)【特許請求の範囲】
【請求項１】
カセットケース内に収納されたインクリボンの一部がカセットケース外に露出されたインクリボンカセットであって、
上記インクリボンのカセットケース外に露出された部分を覆う着脱自在なカバー体を備え、
上記カバー体は、インクリボンの両面を覆う覆い部を有し、
上記カバー体に、インクリボンカセットがプリンターに装着される際にプリンターに設けられた取り外し手段によって押圧されてカバー体をカセットケースから取り外す被押圧部が設けられた
ことを特徴とするインクリボンカセット。
【発明の詳細な説明】
【０００１】
【発明の属する技術分野】
本発明は新規なインクリボンカセットに関する。詳しくは、カセットケース内に収納されているインクリボンのカセットケース外に露出している部分の損傷や汚損を防止する技術に関する。
【０００２】
【従来の技術】
図７及び図８に従来のプリンター及びインクリボンカセットの一例を示す。
【０００３】
図７及び図８に示したプリンターａは熱転写型プリンターであり、インクリボンカセットｂを使用するようになっている。
【０００４】
インクリボンカセットｂは、カセットケースｃ内にインクリボンｄが巻装されており、該インクリボンｄの一部がカセットケースｃに形成された凹部ｅの開口部を横切るように外部に露出されている。
【０００５】
そして、インクリボンカセットｂがプリンターａに装着されると、プリンターａに設けられた熱転写ヘッドｆがインクリボンカセットｂの凹部ｅ内に相対的に挿入される。
【０００６】
そして、印刷が開始されると、印刷用紙がインクリボンｄのカセットケースｃ外に露出している部分を挟んで熱転写ヘッドｆに圧着され、熱転写ヘッドｆの熱によりインクリボンｄ上のインクが印刷用紙に転写される。
【０００７】
【発明が解決しようとする課題】
上記した従来のインクリボンカセットｂにあっては、インクリボンｄの一部がカセットケースｃ外に露出しているため、プリンターａに装着する際に、インクリボンｄのカセットケースｃ外に露出している部分を熱転写ヘッドｆと印刷用紙を熱転写ヘッドｆに圧着する機構との間の狭い隙間を通さざるを得ず、熱転写ヘッドｆやその周囲の機構部にインクリボンｄを引っかけて傷付けてしまう惧がある。
【０００８】
そこで、本発明は、カセットケース内に収納されているインクリボンのカセットケース外に露出している部分の損傷や汚損を防止することを課題とする。
【０００９】
【課題を解決するための手段】
本発明インクリボンカセットは、上記した課題を解決するために、インクリボンのカセットケース外に露出された部分を覆う着脱自在なカバー体を備え、カバー体は、インクリボンの両面を覆う覆い部を有し、カバー体に、インクリボンカセットがプリンターに装着される際にプリンターに設けられた取り外し手段によって押圧されてカバー体をカセットケースから取り外す被押圧部が設けられたものである。
【００１０】
従って、本発明インクリボンカセットにあっては、インクリボンのカセットケース外に露出している部分がカバー体によって覆われているので、インクリボンが損傷される惧がない。そして、カバー体は、インクリボンの両面を覆う覆い部を有するので、インクリボンがより確実に保護されることになる。そして、さらに、カバー体に、インクリボンカセットがプリンターに装着される際にプリンターに設けられた取り外し手段によって押圧されてカバー体をカセットケースから取り外す被押圧部を設けたので、プリンターへの装着に際してカバー体を簡単に取り外すことができる。
【００１１】
【発明の実施の形態】
以下に、本発明インクリボンカセットの実施の形態を添付図面を参照して説明する。
【００１２】
インクリボンカセット１は、カセットケース２内にインクリボン３が収納されて成る。インクリボン３はその両端がカセットケース２内に回転可能に配設された供給スプール４と巻取スプール５とに各別に固定された状態で供給スプール４に巻装されている。カセットケース２には扁平な凹部６が形成されており、インクリボン３は供給スプール４から中間スプール７を経てカセットケース２外に出て凹部６の開口面を横切ってからカセットケース２内に入り巻取スプール５に巻き取られて行く経路を走行するようにされている。
【００１３】
該インクリボンカセット１にはカバー体８が設けられる。該カバー体８は薄い金属板又はプラスチックスによって形成されている。
【００１４】
カバー体８はカセットケース２の上記凹部６の開口部の大きさにほぼ等しい大きさを有する覆い部９を有する。該覆い部９はきわめて近接して平行に対向された２枚の覆い板９ａ、９ｂから形成されている。カバー体８は２枚の側面板１０、１１を有し、該側面板１０、１１の下端部に上記覆い板９ａ、９ｂの側縁が固定されている。さらに、側面板１０の前側に外側板１２が上方に向かって突出するように形成されている。そして、上側の覆い板９ａの上面に被押圧片１３が突設されている。
【００１５】
そして、上記カバー体８は覆い部９ａ、９ｂによってインクリボン３のカセットケース２から露出している部分を上下で挟むように位置している。この状態で、側面板１０、１１はカセットケース２の凹部６の前後両面に各別に弾接し、また、外側板１２はカセットケース２の前端部２ａを側面板１０と共に挟むように位置している（図１、図２参照）。
【００１６】
そこで、上記インクリボンカセット１のプリンター１４への装着は以下のように為される。
【００１７】
インクリボンカセット１をプリンター１４のカセット装着部１５内に図４中矢印Ａ方向に挿入していくと（図４、図５参照）、プリンター１４の熱転写ヘッド部１６がインクリボンカセット１の凹部６内に相対的に挿入されて行き、熱転写ヘッド部１６の先端がカバー体８の被押圧片１３に当接する（図５参照）。そこからさらに、インクリボンカセット１をカセット装着部１５内に挿入していくと、カバー体８の被押圧片１３が熱転写ヘッド部１６の先端部によって図中矢印Ｂ方向に押圧され、これによって、カバー体８がカセットケース２に対して図中矢印Ｂ方向に相対的に移動されていき、カバー体８がインクリボン３を覆った状態から外れていく。そして、インクリボンカセット１がプリンター１４のカセット装着部１５内に完全に挿入されると（図６参照）、インクリボン３の凹部６の開口部に位置した部分のほとんどが露出され、且つ、熱転写ヘッド部１６と印刷用紙を熱転写ヘッド１６に圧着する機構との間の間隙に位置される。そこで、カバー体８のプリンター１４から突出した部分を持って引き出せば、カバー体８がカセットケース２から完全に除去され、また、インクリボン３の凹部６の開口部に位置した部分が完全に露出される。
【００１８】
上記したインクリボンカセット１にあっては、プリンター１４に装着される前には、インクリボン３のカセットケース２から露出した部分がカバー体８の覆い部９によって上下を覆われているので、プリンター１４に装着される際に、インクリボン３が熱転写ヘッド１６やその周辺の機構部によって引っかけられて傷付けられるおそれが無くなる。
【００２０】
なお、上記実施の形態においては、側面板１０、１１が凹部６の側面に弾接すると共に側面板１０と外側板１２とによってカセットケース２の前端部２ａを挟み付けるようにして、カバー体８がカセットケース２に保持されるようにしたが、覆い板９ａ、９ｂがインクリボン３のカセットケース２外に露出している部分を軽く挟み付けるようにして、その摩擦力によって、インクリボン３を覆った状態から脱落しないようにしても良い。そのようにする場合、側面板１０、１１及び外側板１２は不要となる。
【００２２】
なお、上記した実施の形態において示した各部の形状乃至構造は、何れも本発明を実施するに際して行う具体化のほんの一例を示したものに過ぎず、これらによって本発明の技術的範囲が限定的に解釈されるようなことがあってはならないものである。
【００２３】
【発明の効果】
以上に記載したところから明らかなように、本発明インクリボンカセットは、カセットケース内に収納されたインクリボンの一部がカセットケース外に露出されたインクリボンカセットであって、インクリボンのカセットケース外に露出された部分を覆う着脱自在なカバー体を備え、カバー体は、インクリボンの両面を覆う覆い部を有し、カバー体に、インクリボンカセットがプリンターに装着される際にプリンターに設けられた取り外し手段によって押圧されてカバー体をカセットケースから取り外す被押圧部が設けられたことを特徴とする。
【００２４】
従って、本発明インクリボンカセットにあっては、インクリボンのカセットケース外に露出している部分がカバー体によって覆われているので、インクリボンが損傷されたり汚損される惧がない。そして、カバー体は、インクリボンの両面を覆う覆い部を有するので、インクリボンがより確実に保護されることになる。そして、さらに、カバー体に、インクリボンカセットがプリンターに装着される際にプリンターに設けられた取り外し手段によって押圧されてカバー体をカセットケースから取り外す被押圧部を設けたので、プリンターへの装着に際してカバー体を簡単に取り外すことができる。
【図面の簡単な説明】
【図１】図２乃至図６と共に本発明インクリボンカセットの実施の形態を示すものであり、本図は側面図である。
【図２】斜視図である。
【図３】カバー体を外した状態の斜視図である。
【図４】図５及び図６と共にプリンターに装着する過程を示す要部の断面図であり、本図は装着前の状態を示すものである。
【図５】装着途中の状態を示すものである。
【図６】装着が完了した状態を示すものである。
【図７】図８と共に従来のインクリボンカセットを示すものであり、本図はプリンターに装着した状態を示す側面図である。
【図８】プリンターとインクリボンカセットを分離して示す斜視図である。
【符号の説明】
１…インクリボンカセット、２…カセットケース、３…インクリボン、８…カバー体、９…覆い部、１３…被押圧片（被押圧部）、１４…プリンター、１６…熱転写ヘッド（取り外し手段）
【図１】
0004378580.tif 000002
【図２】
0004378580.tif 000003
【図３】
0004378580.tif 000004
【図４】
0004378580.tif 000005
【図５】
0004378580.tif 000006
【図６】
0004378580.tif 000007
【図７】
0004378580.tif 000008
【図８】
0004378580.tif 000009